(57)【要約】【課題】電話機での会話を円滑にする技術を提供する。【解決手段】無線電話機は、相手電話機からの音声信号を、無線回線を介して受信する受信手段と、前記受信手段により受信される前記音声信号の電界強度を取得する電界強度取得手段と、前記電界強度取得手段により取得される前記電界強度が所定の閾値以下である間、前記受信手段により受信された前記音声信号を記録する録音手段と、前記録音手段により記録された前記音声信号を、前記無線回線を介して、前記相手電話機に送信する送信手段と、を有する。【選択図】図１
2010130058.tif 000002
【特許請求の範囲】
【請求項１】
相手電話機からの音声信号を、無線回線を介して受信する受信手段と、
前記受信手段により受信される前記音声信号の電界強度を取得する電界強度取得手段と、
前記電界強度取得手段により取得される前記電界強度が所定の閾値以下である間、前記受信手段により受信された前記音声信号を記録する記録手段と、
前記記録手段により記録された前記音声信号を、前記無線回線を介して、前記相手電話機に送信する送信手段と、
を有する無線電話機。
【請求項２】
前記録音手段により記録された前記音声信号を再生する再生手段を更に有する、請求項１に記載の無線電話機。
【請求項３】
音声信号を入力する音声入力手段を更に有し、
前記送信手段は、前記音声入力手段により音声信号が入力されていない間に、前記記録手段により記録された前記音声信号を前記相手側電話機に送信し、
前記再生手段は、前記音声入力手段により前記音声信号が入力されていない間に、前記録音手段により記録された前記音声信号を再生する、請求項２に記載の無線電話機。
【請求項４】
前記無線電話機の現在位置を取得する現在位置取得手段と、
電界強度の地理的な分布を記憶する記憶手段と、
を更に有し、
前記録音手段は、前記記憶手段に記憶された前記分布に基づいて、前記現在位置取得手段により取得された前記現在位置における電界強度を取得し、取得した該電界強度が低いほど前記閾値が高くなるように、前記閾値を変更する、請求項１乃至３のいずれか１項に記載の無線電話機。
【請求項５】
前記無線電話機の現在位置を取得する現在位置取得手段と、
電界強度の地理的な分布を記憶する記憶手段と、
を更に有し、
前記録音手段は、前記記憶手段に記憶された前記分布に基づいて、前記現在位置取得手段により取得された前記現在位置における電界強度を取得し、取得した該電界強度が所定値以下であるとき、又は前記電界強度取得手段により前記閾値以下の電界強度が取得されたときに、前記受信手段により受信された前記音声信号の記録を開始する、請求項１乃至３のいずれか１項に記載の無線電話機。
【請求項６】
前記録音手段は、取得した該電界強度が所定値以下であるときから所定時間が経過したときに、前記電界強度取得手段により前記閾値より大きい電界強度が取得されたならば、記録した前記音声信号を破棄する、請求項５に記載の無線電話機。
【請求項７】
前記録音手段は、前記現在位置取得手段により取得された前記現在位置が、前記分布において電界強度が所定値以下である弱電界エリア、又は該弱電界エリアから所定距離内のエリアに含まれるとき、或いは前記電界強度取得手段により前記閾値以下の電界強度が取得されたときに、前記受信手段により受信された前記音声信号の記録を開始する、請求項５に記載の無線電話機。
【請求項８】
前記電界強度取得手段は、前記電界強度として、ＤＰＣＨ＿ＲＳＣＰ（Dedicated Physical Channel _Received Signal Code Power）、Ｒｘ  Ｌｅｖｅｌ、又はＲＳＳI(Received Signal Strength Indication)の読み値を取得する、請求項１乃至７のいずれか１項に記載の電話機。
【請求項９】
前記無線電話機は、携帯電話機である、請求項１乃至８のいずれか１項に記載の電話機。
【請求項１０】
相手電話機からの音声信号を、無線回線を介して受信し、
受信される前記音声信号の電界強度を取得し、
前記電界強度が所定の閾値以下である間、受信された前記音声信号を記録し、
記録した前記音声信号を、前記無線回線を介して、前記相手電話機に送信する、無線電話機の制御方法。
【請求項１１】
コンピュータに、
相手電話機からの音声信号を、無線回線を介して受信する受信手順、
前記受信手順で受信される前記音声信号の電界強度を取得する電界強度取得手順、
前記電界強度取得手順で取得される前記電界強度が所定の閾値以下である間、前記受信手段により受信された前記音声信号を記録する録音手順、及び
前記録音手順で記録された前記音声信号を、前記無線回線を介して、前記相手電話機に送信する送信手順、
を実行させるためのプログラム。
【発明の詳細な説明】
【技術分野】
【０００１】
本発明は、無線電話機を用いた音声での会話を補助する技術に関する。
【背景技術】
【０００２】
携帯電話機等の無線電話機においては、移動先の場所の電波環境などの要因により通信品質が低下することがある。
【０００３】
特許文献１に記載の携帯電話機は、留守番電話録音機能を有し、録音中に通信品質が所定値以下に低下したときは、録音を中断し、通信品質が回復したときに録音を再開することにより録音される音声が途切れることを防止している。
【特許文献１】特開２００７−２０８３８０号公報
【発明の開示】
【発明が解決しようとする課題】
【０００４】
しかし、会話をするときは、通常、留守番電話録音機能がオフとなる。このため、特許文献１に記載の方法では、携帯電話機が、会話中に電波状況の悪いところに移動して通信品質が低下し、その携帯電話の話者が会話を聞き取れなかったときに、相手側は再度同じ内容を話す必要があり、会話に支障をきたすという問題があった。
本発明は、無線電話機での会話を円滑にする技術を提供することを目的とする。
【課題を解決するための手段】
【０００５】
上記目的を達成するために、本発明の無線電話機は、相手電話機からの音声信号を、無線回線を介して受信する受信手段と、前記受信手段により受信される前記音声信号の電界強度を取得する電界強度取得手段と、前記電界強度取得手段により取得される前記電界強度が所定の閾値以下である間、前記受信手段により受信された前記音声信号を記録する録音手段と、前記録音手段により記録された前記音声信号を、前記無線回線を介して、前記相手電話機に送信する送信手段と、を有する。
【０００６】
本発明の電話機の制御方法は、相手電話機からの音声信号を、無線回線を介して受信し、受信される前記音声信号の電界強度を取得し、前記電界強度が所定の閾値以下である間、受信された前記音声信号を記録し、記録した前記音声信号を、前記無線回線を介して、前記相手電話機に送信する、無線電話機の制御方法である。
【０００７】
本発明のプログラムは、コンピュータに、相手電話機からの音声信号を、無線回線を介して受信する受信手順、前記受信手順で受信される前記音声信号の電界強度を取得する電界強度取得手順、前記電界強度取得手順で取得される前記電界強度が所定の閾値以下である間、前記受信手段により受信された前記音声信号を記録する録音手順、及び前記録音手順で記録された前記音声信号を、前記無線回線を介して、前記相手電話機に送信する送信手順、を実行させるためのプログラムである。
【発明の効果】
【０００８】
本発明によれば、無線電話機は、相手側電話機から受信される音声信号の電界強度を取得し、その電界強度が閾値以下である間に音声信号を記録し、記録した音声信号を相手側電話機へ送信するので、電界強度が閾値以下で会話中に聞き取りにくかった音声を、相手側の話者が確認できる結果、円滑な会話が可能となる。
【発明を実施するための最良の形態】
【０００９】
（第１の実施形態）
本発明を実施するための第１の実施形態について図面を参照して詳細に説明する。
【００１０】
図１は、本実施形態の携帯電話機１の構成を示すブロック図である。図１を参照すると、無線部１０、制御部２０、スピーカ３０、およびマイク４０を有する。
【００１１】
無線部１０は、受信部１０１および送信部１０３を有する。制御部２０は、受信レベル測定部２０１と、録音制御部２０３と、再生制御部２０５とを有する。
【００１２】
受信部１０１は、相手側の電話機（不図示）から音声信号を受信する。受信レベル測定部２０１は、受信される音声信号の受信レベルを測定する。
【００１３】
ここで、受信レベルとは、受信した音声信号から測定された、携帯電話１の現在位置における電界強度であり、具体的には、Ｗ−ＣＤＭＡ（Wideband-Code Division Multiple Access）方式の場合は、ＤＰＣＨ＿ＲＳＣＰ（Dedicated Physical Channel _Received Signal Code Power）、ＧＳＭ（Global System for Mobile Communications）方式であれば、Rx levelなどである。また、ＲＳＳI(Received Signal Strength Indication)の読み値を受信レベルとしてもよい。
【００１４】
録音制御部２０３は、記憶部２０３１を有する。記憶部２０３１は、受信した音声信号（音声データ）を記録（記憶）するための記憶装置である。録音制御部２０３は、測定された受信レベルが、予め定めた閾値以下であるか否かを判断する。この閾値は、通話可能な受信レベルの値に設定される。
【００１５】
録音制御部２０３は、受信レベルが閾値以下であるときに録音を開始する。そして、受信レベルがその閾値を超えたとき、録音を停止し、録音した音声データを保存する。
【００１６】
送信部１０３は、録音終了後、マイク４０に音声が入力されていないときに、録音した音声データを相手側の端末に送信する。携帯電話１の話者が発話している間に、音声データを相手側に送信すると、会話の支障となるためである。
【００１７】
再生制御部２０５は、録音終了後、マイク４０に音声が入力されていないときに、録音した音声データを読み出し、スピーカ３０を通じて再生する。
【００１８】
スピーカ３０は、受信した音声または録音された音声を再生する。マイク４０は、話者が発した音声を携帯電話機１に入力する。
【００１９】
図２は、携帯電話機１の動作を示すフローチャートである。この動作は、通話ボタンが押下されたときなど、通話を開始するための操作がなされたときに開始する。
【００２０】
受信レベル測定部２０１は、受信した音声信号から、受信レベルを計測する（ステップＳ５）。録音制御部２０３は、計測された受信レベルが、所定の閾値以下であるか否かを判断する（ステップＳ７）。受信レベルが閾値以下でないとき（ステップＳ７：ＮＯ）、携帯電話機１は、ステップＳ５に戻る。
【００２１】
受信レベルが閾値以下であれば（ステップＳ５：ＹＥＳ）、制御部２０は、録音処理を実行し（ステップＳ９）、送信処理を実行する（ステップＳ１１）。ステップＳ１１の後、携帯電話機１は、動作を終了する。
【００２２】
図３は、録音処理を示すフローチャートである。同図を参照すると、録音制御部２０３は、録音を開始し（ステップＳ９１）、受信レベル計測部２０１により計測された受信レベルを取得する（ステップＳ９３）。録音制御部２０３は、取得した受信レベルが、閾値以下であるか否かを判断する（ステップＳ９５）。受信レベルが閾値以下であれば（ステップＳ９５：ＹＥＳ）、録音制御部２０３は、ステップＳ９３に戻る。
【００２３】
受信レベルが閾値以下でなければ（ステップＳ９５：ＮＯ）、録音制御部２０３は、録音を終了し（ステップＳ９７）、録音した音声データを記憶部２０３１に保存する（ステップＳ９９）。ステップＳ９９の後、録音制御部２０３は、録音処理を終了する。
【００２４】
図４は、送信処理を示すフローチャートである。同図を参照すると、制御部２０は、録音データが記憶部２０３１に記憶されているか否かを判断する（ステップＳ１１1）。録音データがあれば（ステップＳ１１１：ＹＥＳ）、マイク４０に音声が入力されているか否か、すなわち、携帯電話機１の話者が発話中であるか否かを判断する（ステップＳ１１３）。話者が発話中であれば（ステップＳ１１３：ＹＥＳ）、制御部２０は、ステップＳ１１３に戻る。
【００２５】
話者が発話中でなければ（ステップＳ１１３：ＮＯ）、送信部１０３は、録音データを相手側の端末に送信する（ステップＳ１１５）。そして、再生制御部２０５は、スピーカ３０を通じて録音データを再生する（ステップＳ１１７）。
【００２６】
録音データがない場合（ステップＳ１１１：ＮＯ）、またはステップＳ１１７の後、携帯電話１は、送信処理を終了する。
【００２７】
図５および図６を参照して、携帯電話１の動作結果の一例について説明する。図５（ａ）は、時間経過に伴う受信レベルの変化の一例を示す図である。図５（ｂ）は、時間経過に伴う携帯電話１の録音状態の一例を示す図である。
【００２８】
図５（ａ）に示すように、時刻「ｔ０」以後、時刻「ｔ１」前の間、閾値より大きな受信レベルが測定され、時刻「ｔ１」以後、時刻「ｔ２」前の間、閾値以下の受信レベルが測定され、時刻「ｔ３」以後は、閾値より大きい受信レベルが測定された場合について考える。
【００２９】
この場合、図５（ｂ）に示すように、時刻「ｔ０」以後、時刻「ｔ１」前の間は、受信レベルが閾値より大きいので（ステップＳ７：ＮＯ）、携帯電話１は録音を開始しない。時刻「ｔ１」以後、時刻「ｔ２」前の間は、受信レベルが閾値以下なので（ステップＳ７：ＹＥＳ）、携帯電話１は受信した音声を録音する（ステップＳ９１）。時刻「ｔ３」以後は、受信レベルが閾値より大きいので（ステップＳ９５：ＮＯ）、携帯電話１は、録音を終了する（ステップＳ９７）。
【００３０】
図６（ａ）は、時間経過に伴う受信レベルの変化の一例を示す図である。図６（ｂ）は、時間経過に伴う、携帯電話１の話者の発話状態の一例を示す図である。図６（ｃ）は、時間経過に伴う、音声データの送信状態または再生状態の一例を示す図である。
【００３１】
図６（ａ）に示すように、時刻「ｔ２」以降は、閾値より大きい受信レベルが測定され、図６（ｂ）に示すように、時刻「ｔ２」以後、時刻「ｔ３」前の期間と、時刻「ｔ４」以降の期間とにおいて、携帯電話１の話者が発話している場合について考える。
【００３２】
この場合、時刻「ｔ２」以後、「ｔ３」前の間と、時刻「ｔ４」以降とにおいて、話者が発話しているので（ステップＳ１１３：ＹＥＳ）、携帯電話１は、音声データを送信、再生しない。時刻「ｔ３」以後、時刻「ｔ４」前の間において、話者が発話していないので（ステップＳ１１３：ＮＯ）、携帯電話１は、音声データを送信し、再生する（ステップＳ１１５、Ｓ１１７）。
【００３３】
なお、本実施形態では、携帯電話機１について、本発明を適用しているが、無線回線を介して、音声信号を送受信する機能を備えた無線電話機であれば、ＰＨＳ（Personal Handy-phone System）やＩＰ（Internet Protocol）電話機などにも、本発明を適用できる。
【００３４】
また、本実施形態ではＤＰＣＨ＿ＲＳＣＰ、Ｒｘ  Ｌｅｖｅｌ、またはＲＳＳIの読み値としているが、受信した音声信号から電界強度を取得できるのであれば、携帯電話機１は、他の値を受信レベルとして使用することもできる。
【００３５】
以上説明したように、本実施形態によれば、携帯電話機１は、相手側電話機から受信される音声信号の電界強度を取得し、その電界強度が閾値以下である間に、音声信号を録音し、録音した音声信号を相手側電話機に送信するので、電界強度が閾値以下で会話中に聞き取りにくかった音声を、相手側の話者が確認できる結果、円滑な会話が可能となる。
【００３６】
再生制御部２０５は、録音した音声を、スピーカ３０を通じて再生するので、聞き取りにくかった音声を、携帯電話１の話者も確認することができる結果、更に円滑な会話が可能となる。
【００３７】
マイク４０に音声が入力されていない間に、送信部１０３は、録音データを送信し、再生制御部２０５は、録音した音声を、スピーカ３０を通じて再生するので、送信、再生した音声が、会話の支障とならない。
【００３８】
受信電界レベルは、ＤＰＣＨ＿ＲＳＣＰ、Ｒｘ  Ｌｅｖｅｌ、またはＲＳＳIの読み値であるから、Ｗ−ＣＤＭＡ方式やＧＳＭ方式の携帯電話について本発明を適用できる。
【００３９】
特に、携帯電話機について本発明を適用する場合、基地局の設置状況などより、音声が聞き取りにくいことが多いので、有用である。
【００４０】
（第２の実施形態）
本発明の第２の実施形態について図７〜図９を参照して説明する。図７は、本実施形態の携帯電話機１ａの構成を示すブロック図である。同図を参照すると、位置取得部５０および電界強度マップ６０を更に有する点で、実施形態１の携帯電話機１と異なる。
【００４１】
位置取得部５０は、ＧＰＳ（Global Positioning System）等を使用することにより、携帯電話機１の現在位置を取得する。
【００４２】
電界強度マップ６０は、電界強度の地理的な分布を記載した地図である。図８に電界強度マップ６０の一例を示す。同図に示すように、電界強度マップ６０には、電界強度が強いエリア（白く塗りつぶした部分）と、電界強度が弱いエリア（斜線部分）と、電界強度が通話困難な値で圏外のエリア（黒く塗りつぶした部分）とが地図上に記載されている。
【００４３】
本実施形態の制御部２０は、現在位置のエリアの電界強度が小さいほど、大きな閾値に設定を変更する。そして、携帯電話１は、変更後の閾値に基づいて、録音処理、送信処理を実行する。
【００４４】
図８は、携帯電話機１ａの動作を示すフローチャートである。同図を参照すると、携帯電話機１ａの動作は、ステップＳ１〜Ｓ４を更に実行する以外は、携帯電話機１の動作と同様である。
【００４５】
位置取得部６０は、携帯電話機１ａの現在位置を取得する（ステップＳ１）。制御部２０は、電界強度マップ６０を参照して、取得した現在位置が、弱電界エリアにあるか否かを判断する（ステップＳ２）。現在位置が弱電界エリアにある場合（ステップＳ２：ＹＥＳ）、制御部２０は、強電界エリアにあるときよりも閾値を大きな値にする（ステップＳ３）。現在位置が弱電界エリアにない場合（ステップＳ２：ＮＯ）、制御部２０は、弱電界エリアにあるときよりも閾値を小さな値にする（ステップＳ４）。そして、携帯電話機１は、受信レベルを取得する（ステップＳ５）。
【００４６】
なお、本実施形態では、電界強度マップ６０において、強電界エリア、弱電界エリア、圏外の３段階で、エリアごとの電界強度を記載しているが、より細かい段階で、電界強度の分布を記載してもよい。
【００４７】
以上説明したように、本実施形態によれば、携帯電話機１ａは、現在位置を含むエリアの電界強度に応じて閾値を変更するので、電界強度が低いエリアであっても、相手側の音声を聞き逃すことが少なくなる。
【００４８】
（第３の実施形態）
本発明の第３の実施形態について、図１０および図１１を参照して説明する。本実施形態の携帯電話機１ｂの構成は、第２の実施形態の携帯電話機１ａの構成と同様である。但し、弱電界エリアにおいては、受信レベルが閾値以下にならなくても携帯電話機１ｂが録音を開始する点で、第２の実施形態と異なる。
【００４９】
図１０は、携帯電話機１ｂの動作を示すフローチャートである。同図を参照すると、本実施形態の携帯電話機１ｂの動作は、ステップＳ３およびＳ４を実行せず、ステップＳ１０を更に実行する点で、第２の実施形態の携帯電話機１ａの動作と異なる。
【００５０】
現在位置が弱電界エリアである場合（ステップＳ２：ＹＥＳ）、携帯電話機１ｂは弱電界エリア録音処理を実行し（ステップＳ１０）、送信処理を実行する（ステップＳ１１）。現在位置が弱電界エリアでない場合（ステップＳ２：ＹＥＳ）、携帯電話機１ｂは受信レベルを計測する（ステップＳ５）。
【００５１】
図１１は、本実施形態の弱電界エリア録音処理を示すフローチャートである。同図を参照すると、録音制御部２０３は、録音を開始し（ステップＳ１０１）、一定時間が経過したか否かを判断する（ステップＳ１０２）。一定時間が経過していなければ、録音制御部２０３は、ステップＳ１０２に戻る。
【００５２】
一定時間が経過したならば、録音制御部２０３は、受信レベル計測部２０１により計測された受信レベルを取得する（ステップＳ１０３）。録音制御部２０３は、取得した受信レベルが、閾値以下であるか否かを判断する（ステップＳ１０４）。受信レベルが閾値以下であれば（ステップＳ１０４：ＹＥＳ）、録音制御部２０３は、ステップＳ９１に戻る。
【００５３】
受信レベルが閾値以下でなければ（ステップＳ１０４：ＮＯ）、録音制御部２０３は、録音を終了し（ステップＳ１０５）、録音時間が一定時間以下であるか否かを判断する（ステップＳ１０６）。
【００５４】
録音時間が一定時間以下でない場合（ステップＳ１０６：ＮＯ）、録音制御部２０３は、録音した音声データを記憶部２０３１に保存する（ステップＳ１０７）。録音時間が一定時間以下である場合（ステップＳ１０６：ＹＥＳ）、録音制御部２０３は、録音した音声データを破棄する（ステップＳ１０８）。ステップＳ１０７またはステップＳ１０８の後、録音制御部２０３は、録音処理を終了する。
【００５５】
なお、本実施形態では、携帯電話機が弱電界エリアに移動したときに録音を開始する構成としているが、図１２に示すように、強電界エリアのうち、弱電界エリアに所定距離より近い地域（隣接エリア）に移動したときに録音を開始する構成としてもよい。
【００５６】
以上説明したように、本実施形態によれば、携帯電話機１ｂは、受信レベルに関わらず、弱電界エリアにおいて録音を開始するので、受信レベルが低下しやすいエリアにおいて、受信レベルが実際に低下する前に、早期に録音を開始できる。
【００５７】
また、携帯電話機１ｂは、弱電界エリアにおいて、録音を開始してから一定時間が経過したときに受信レベルが回復していれば、音声データを破棄するので、受信レベルが通話可能な値であるも関わらず録音された音声データを送信、再生してしまうことが少なくなる。
【００５８】
隣接エリアに入ったときから録音を開始すれば、携帯電話機は、更に早期の録音ができる。
【図面の簡単な説明】
【００５９】
【図１】本発明の第１の実施の形態の携帯電話機の構成を示すブロック図である。
【図２】本発明の第１の実施の形態の携帯電話機の動作を示すフローチャートである。
【図３】本発明の第１の実施の形態の録音処理を示すフローチャートである。
【図４】本発明の第１の実施の形態の送信処理を示すフローチャートである。
【図５】（ａ）本発明の第１の実施の形態の受信レベルの変化の一例を示す図である。  （ｂ）本発明の第１の実施の形態の録音状態の変化の一例を示す図である。
【図６】（ａ）本発明の第１の実施の形態の受信レベルの変化の一例を示す図である。（ｂ）本発明の第１の実施の形態の発話状態の変化の一例を示す図である。（ｃ）本発明の第１の実施の形態の送信（再生）状態の変化の一例を示す図である。
【図７】本発明の第２の実施の形態の携帯電話機の構成を示すブロック図である。
【図８】本発明の第２の実施の形態の電界強度マップの一例を示す図である。
【図９】本発明の第２の実施の形態の携帯電話機の動作を示すフローチャートである。
【図１０】本発明の第３の実施の形態の携帯電話機の動作を示すフローチャートである。
【図１１】本発明の第３の実施の形態の弱電界エリア録音処理を示すフローチャートである。
【図１２】本発明の変形例の電界強度マップの一例を示す図である。
【符号の説明】
【００６０】
１、１ａ、１ｂ    携帯電話
１０    無線部
２０    制御部
３０    スピーカ
４０    マイク
５０    位置取得部
６０    電界強度マップ
１０１    受信部
１０３    送信部
２０１    受信レベル測定部
２０３    録音制御部
２０５    再生制御部
２０３１    記憶部
Ｓ１〜Ｓ１１、Ｓ９１〜Ｓ１００、Ｓ１１１〜Ｓ１１７、Ｓ３ａ、Ｓ４ａ、Ｓ７ａ、Ｓ９ａ    ステップ
【図１】
2010130058.tif 000003
【図２】
2010130058.tif 000004
【図３】
2010130058.tif 000005
【図４】
2010130058.tif 000006
【図５】
2010130058.tif 000007
【図６】
2010130058.tif 000008
【図７】
2010130058.tif 000009
【図８】
2010130058.tif 000010
【図９】
2010130058.tif 000011
【図１０】
2010130058.tif 000012
【図１１】
2010130058.tif 000013
【図１２】
2010130058.tif 000014